(57)【特許請求の範囲】
【請求項１】
機体に上下回動自在に設けられ、その回動に応じて脱穀部上方を開閉する扱室ケースと、該扱室ケース内に回転自在に設けられる扱胴と、脱穀済みの排藁を搬送する排藁搬送装置とを備えると共に、前記扱胴および排藁搬送装置を、前記扱室ケースと一体的に上下動させるコンバインにおいて、
前記扱室ケースの回動支点となる支点フレームと、前記扱室ケースの先端側に沿う先端フレームと、前記扱胴を支持する扱室フレームと、前記排藁搬送装置が設けられる排藁フレームとを一体的に連結して枠体を構成すると共に、
前記排藁フレームは、その右端部が支点フレームの後端部に一体的に連結される一方、その左端部が連結プレートを介して先端フレームに連結されることを特徴とするコンバイン。
【請求項２】
請求項１において、前記先端フレームに、脱穀フィードチェンとの間で茎稈を挟持する挟持レールを連結したことを特徴とするコンバイン。
【請求項３】
請求項１または２において、前記先端フレームに、扱室ケースを開閉操作する開閉レバーを連結したことを特徴とするコンバイン。
【発明の詳細な説明】
【０００１】
【発明の属する技術分野】
本発明は、扱胴および排藁搬送装置を扱室ケースと一体的に上下動させるコンバインの技術分野に属するものである。
【０００２】
【従来の技術】
一般に、この種コンバインにおいては、脱穀部の上方を覆う扱室ケースが、機体に上下回動自在に設けられており、この扱室ケースを上方に回動させることにより、脱穀部内の清掃や点検を行うことが可能になる。また、上記のようなものでは、扱胴および排藁搬送装置を、扱室ケースと一体的に上下動させることが提案されており、この場合には、脱穀部の内部および排藁搬送装置の下方が同時に開放され、メンテナンスが更に容易になる。
【０００３】
【発明が解決しようとする課題】
しかしながら、排藁搬送装置を扱室ケースと一体的に上下動させる場合には、排藁搬送装置の荷重を扱室ケースで支える必要があるため、扱室ケースの強度アップが要求される。そこで、従来においては、ステー等の補強部材を設けて必要強度を確保していたが、この場合には、部品点数の増加や構造の複雑化を招く不都合がある。
【０００４】
【課題を解決するための手段】
本発明は、上記の如き実情に鑑みこれらの課題を解決することを目的として創作されたものであって、機体に上下回動自在に設けられ、その回動に応じて脱穀部上方を開閉する扱室ケースと、該扱室ケース内に回転自在に設けられる扱胴と、脱穀済みの排藁を搬送する排藁搬送装置とを備えると共に、前記扱胴および排藁搬送装置を、前記扱室ケースと一体的に上下動させるコンバインにおいて、前記扱室ケースの回動支点となる支点フレームと、前記扱室ケースの先端側に沿う先端フレームと、前記扱胴を支持する扱室フレームと、前記排藁搬送装置が設けられる排藁フレームとを一体的に連結して枠体を構成すると共に、前記排藁フレームは、その右端部が支点フレームの後端部に一体的に連結される一方、その左端部が連結プレートを介して先端フレームに連結されることを特徴とする。つまり、フレーム部材で枠体を構成することにより、扱室ケースの強度を高めるため、ステー等の補強部材を不要にして部品点数の削減や構造の簡略化を図ることができる。
また、前記先端フレームに、脱穀フィードチェンとの間で茎稈を挟持する挟持レールを連結したことを特徴とする。この場合においては、枠体を構成する先端フレームに挟持レールを連結することにより、挟持レールの支持強度を高めることができる。
また、前記先端フレームに、扱室ケースを開閉操作する開閉レバーを連結したことを特徴とする。この場合においては、枠体を構成する先端フレームに開閉レバーを連結することにより、開閉レバーの支持強度を高めることができ、換言すれば、開閉レバーを支持する先端フレーム（レバーフレーム）を利用して枠体を構成することができる。
【０００５】
【発明の実施の形態】
次に、本発明の実施の形態の一つを図面に基づいて説明する。図面において、１はコンバインに搭載される脱穀部であって、該脱穀部１は、茎稈を扱室２に沿って挟持搬送する脱穀フィードチェン３と、搬送茎稈から穀粒を脱穀する扱胴４と、脱穀された穀粒を漏下する受網５と、該受網５から漏下せずに扱室２の終端まで達したものを単粒化処理する処理胴６と、該処理胴６が単粒化した穀粒を漏下する第二受網７と、前記受網５から漏下した穀粒を順次揺動搬送する揺動流板８と、該揺動流板８の終端部で穀粒を篩選別する篩選別部９と、該篩選別部９から漏下した穀粒を一番選別風で精選する唐箕ファン１０と、精選された穀粒を横搬送する一番ラセン１１と、該一番ラセン１１の終端まで搬送された穀粒を穀粒タンク１２に揚上搬送する揚穀筒１３と、前記篩選別部９から漏下しなかったものや第二受網７から漏下したものを篩選別するストロラック１４と、該ストロラック１４から漏下した穀粒を二番選別風で風選別する二番選別ファン１５と、風選別された二番物を横搬送する二番ラセン１６と、該二番ラセン１６の終端まで搬送されたものを選別経路中に還元する二番還元筒１７と、前記ストロラック１４の終端位置で藁屑等を機外に排出する吸引ファン１８と、脱穀処理済みの排藁を機体後部まで挟持搬送する排藁搬送装置１９と、該排藁搬送装置１９の終端部下方で排藁を細かく切断するカッター装置２０とを備えて構成される。
【０００６】
脱穀フィードチェン３は、その上側に沿って並設される挟持レール２１との間で茎稈を挟持搬送する。挟持レール２１は、複数の支持ロッド２１ａを介してレール支持フレーム２２で上下動自在に吊持されると共に、図示しない弾機によって脱穀フィードチェン３に向けて付勢される。
【０００７】
排藁搬送装置１９は、排藁フレーム２３に並設される排藁搬送チェン２４および穂先搬送体２５を備える。排藁搬送チェン２４は、その下側に沿って並設される排藁レール２６との間で排藁の株元側を挟持搬送する一方、穂先搬送体２５は、排藁搬送チェン２４の排藁搬送に同期して排藁の穂先側を搬送する。排藁搬送装置１９は、機体の左端部で脱穀フィードチェン３から引き継いだ排藁を、機体の左右中央部でカッター装置２０に供給すべく、平面視で傾斜状に配置される。また、排藁搬送チェン２４は、その始端部に設けられる入力ケース２７を介して扱胴軸４ａの動力を入力すると共に、図示しない伝動軸を介して穂先搬送体２５に動力を供給するように構成される。
【０００８】
脱穀部１の上方は、扱室ケース２８によって全体的に覆われる。扱室ケース２８は、その右側部に沿って設けられる支点フレーム２９を支点として上下回動自在に支持されており、その回動操作に応じて脱穀部１の上方が開閉される。扱室ケース２８には、扱胴４を回転自在に支持する扱室フレーム３０、扱室ケース２８の先端部に沿うレバーフレーム（先端フレーム）３１、扱室ケース２８の開閉操作を行う開閉レバー３２、さらに、前述した挟持レール２１、排藁フレーム２３等が設けられており、扱室ケース２８が開き操作された場合には、これらが扱室ケース２８と一体的に回動し、扱室２の内部や排藁搬送装置１９の下方が同時に開放される。これにより、扱室２の内部や排藁搬送装置１９の下方空間において、清掃、点検、詰り稈の除去等のメンテナンスを容易に行うことが可能になる。
【０００９】
扱室フレーム３０は、扱室２の前側を覆う前フレーム３０ａと、扱室２の後側を覆う後フレーム３０ｂと、扱室２の左側を覆う左フレーム３０ｃとを備えて構成されており、前フレーム３０ａおよび後フレーム３０ｂは、その右端部が前記支点フレーム２９の前側に一体的に連結される。排藁フレーム２３は、その右端部が支点フレーム２９の後端部に一体的に連結される一方、左端部が連結プレート３３を介して後フレーム３０ｂに一体的に連結される。レバーフレーム３１は、その前側が前フレーム３０ａおよび後フレーム３０ｂの左端部にブラケット３４を介して一体的に連結されると共に、中間部がブラケット３５を介して連結プレート３３および入力ケース２７に一体的に連結される。つまり、扱室ケース２８に設けられる支点フレーム２９、扱室フレーム３０、レバーフレーム３１および排藁フレーム２３は、互いに連結されて一体的な枠体を構成する。これにより、ステー等の補強部材を設けることなく、扱室ケース２８の強度を高め、部品点数の削減や構造の簡略化を図ることが可能になる。
【００１０】
レバーフレーム３１に設けられる前後一対のブラケット３４間には、レバー支軸３７を介して前記開閉レバー３２が設けられる。これにより、枠体を構成する強固なレバーフレーム３１で開閉レバー３２を支持することができ、換言すれば、開閉レバー３２を支持するレバーフレーム３１を利用して枠体を構成することが可能になる。尚、レバー支軸３７には、扱室ケース２８の開閉ロックおよびロック解除を行うロック機構（図示せず）が連繋されており、開閉レバー３２の回動操作に応じて扱室ケース２８の開閉ロック解除（開閉ロックは自動）が行われる。
【００１１】
また、前記一対のブラケット３４のうち、後側のブラケット３４には、前記レール支持フレーム２２の後端部が一体的に連結される。つまり、枠体を構成する強固なレバーフレーム３１に、ブラケット３４を介してレール支持フレーム２２を一体的に連結しているため、挟持レール２１の支持強度を高めることが可能になる。
【００１２】
叙述の如く構成されたものにおいて、機体に上下回動自在に設けられ、その回動に応じて脱穀部１の上方を開閉する扱室ケース２８と、該扱室ケース２８内に回転自在に設けられる扱胴５と、脱穀済みの排藁を搬送する排藁搬送装置１９とを備えると共に、前記扱胴５および排藁搬送装置１９を、前記扱室ケース２８と一体的に上下動させるコンバインにおいて、前記扱室ケース２８の回動支点となる支点フレーム２９と、前記扱室ケース２８の先端側に沿うレバーフレーム３１と、前記扱胴５を支持する扱室フレーム３０と、前記排藁搬送装置１９が設けられる排藁フレーム２３とを一体的に連結して枠体を構成したため、ステー等の補強部材を設けることなく、扱室ケース２８の強度を高めることができ、その結果、部品点数の削減や構造の簡略化を図ることができる。
【００１３】
また、枠体を構成するレバーフレーム３１に、脱穀フィードチェン３との間で茎稈を挟持する挟持レール２１（レール支持フレーム２２）を連結したため、挟持レール２１の支持強度を高めることができる。
【００１４】
また、枠体を構成するレバーフレーム３１に、扱室ケース２８を開閉操作する開閉レバー３２を連結したため、開閉レバー３２の支持強度を高めることができ、換言すれば、開閉レバー３２を支持するレバーフレーム３１を利用して枠体を構成することができる。
【図面の簡単な説明】
【図１】脱穀部の内部側面図である。
【図２】脱穀部の内部平面図である。
【符号の説明】
１    脱穀部
２    扱室
３    脱穀フィードチェン
４    扱胴
１９  排藁搬送装置
２１  挟持レール
２２  レール支持フレーム
２３  排藁フレーム
２８  扱室ケース
２９  支点フレーム
３０  扱室フレーム
３１  レバーフレーム
３２  開閉レバー
【図１】
0004267845.tif 000002
【図２】
0004267845.tif 000003